(57)【要約】【課題】半導体製造工程のいわゆる前工程で好適に使用されるものであり、簡便な制御機構によって炭酸ガスの流量を制御可能で、設置スペースが小さく、その製造コストが低廉である比抵抗制御装置を提供する。【解決手段】薬液流体を供給する薬液流体供給手段１０と、超純水を供給する稀釈流体供給手段２０と、薬液流体及び超純水を混合させて処理水として排出する処理水調合手段３０とを備え、薬液流体供給手段１０が、分岐した第一の分岐路４２及び第二の分岐路４３からなる送液路４０と、第一の分岐路４２及び第二の分岐路４３に配置され、処理水調合手段３０に流入する薬液流体の流量を制限するフィルタ５１と、処理水調合手段３０から排出される処理水の比抵抗値に対応して、第一の分岐路４２、または第一の分岐路４２及び第二の分岐路４３を開閉する一つの開閉弁５２とを備える比抵抗制御装置１００。【選択図】図１
2008211096.tif 000002
【特許請求の範囲】
【請求項１】
薬液流体を供給する薬液流体供給手段と、超純水を供給する超純水供給手段と、前記薬液流体及び前記超純水を混合させて調合し、その比抵抗値が前記超純水に比して低く制御された処理水として排出する処理水調合手段とを備える比抵抗制御装置であって、
前記薬液流体供給手段が、
前記薬液流体を貯留する薬液貯留手段と、
前記薬液貯留手段に接続した導入路、並びに前記導入路から分岐した第一の分岐路及び第二の分岐路からなる送液路と、
前記第一の分岐路及び第二の分岐路に配置され、前記処理水調合手段に流入する前記薬液流体の流量を制限するフィルタと、
前記処理水調合手段から排出される前記処理水の比抵抗値に対応して、前記第一の分岐路、または前記第一の分岐路及び前記第二の分岐路を開閉する一つの開閉弁と、
を備える比抵抗制御装置。
【請求項２】
半導体製造工程の、シリコンウエハの基板上に集積回路を形成する工程で使用される前記処理水を製造する請求項１に記載の比抵抗制御装置。
【請求項３】
比抵抗値が０．２ＭΩ・ｃｍ以下である前記処理水を得るものである請求項１または２に記載の比抵抗制御装置。
【請求項４】
前記開閉弁が、前記第一の分岐路を開いたとき前記第二の分岐路を閉じ、前記第一の分岐路を閉じたとき前記第二の分岐路が開くように開閉する三方弁である請求項１〜３のいずれか一項に記載の比抵抗制御装置。
【請求項５】
前記開閉弁が、前記第一の分岐路に配置され、前記第一の分岐路を開閉するものである請求項１〜３のいずれか一項に記載の比抵抗制御装置。
【請求項６】
前記薬液流体が、炭酸ガス、またはアンモニアガスである請求項１〜５のいずれか一項に記載の比抵抗制御装置。
【請求項７】
前記処理水調合手段が、中空糸膜を備え、前記中空糸膜の外周面から前記中空糸膜を透過して前記中空糸膜内に流入した前記薬液流体を、前記中空糸膜の一方の開口から前記中空糸膜内に流入した前記超純水によって、高稀釈倍率で、前記中空糸膜内で混合させて調合し、その比抵抗値が前記超純水に比して低く制御された処理水として排出するものである請求項１〜６のいずれか一項に記載の比抵抗制御装置。
【請求項８】
前記処理水調合手段が、中空糸膜を備え、前記中空糸膜の内周面から前記中空糸膜を透過して前記中空糸膜外に流出した前記薬液流体を、前記中空糸膜の外側を流れる前記超純水によって、高稀釈倍率で混合させて調合し、その比抵抗値が前記超純水に比して低く制御された処理水として送液するものである請求項１〜６のいずれか一項に記載の比抵抗制御装置。
【発明の詳細な説明】
【技術分野】
【０００１】
本発明は、比抵抗制御装置に関する。更に詳しくは、半導体製造工程のシリコンウエハの基板上に集積回路を形成する工程、いわゆる前工程で好適に使用される比抵抗制御装置に関する。
【背景技術】
【０００２】
半導体製造工程において、シリコンウエハを洗浄するための洗浄水が使用されている。この洗浄水は、超純水に、例えば、炭酸ガスを溶解させたものであり、この炭酸ガスによって、超純水に比べて電気抵抗値（比抵抗値）が低下されたものである。このような洗浄水を使用することによって、静電気によるシリコンウエハ上へのゴミの再付着が防止されるとともに、静電破壊が防止されている。
【０００３】
上記洗浄水に溶解させる炭酸ガスの流量は、例えば、洗浄水の比抵抗を０．２ＭΩ・ｃｍにする場合には、超純水の流量１〜１０Ｌ／ｍｉｎの範囲に対して、数１０〜数１００ｍＬ／ｍｉｎである。即ち、炭酸ガスの流量は、超純水の流量に対して非常に少ない。そのため、オリフィスなどの流路径を細くした配管を用いた場合であっても、炭酸ガスの流量を制御することは困難である。
【０００４】
そこで、オリフィスなどを使用する代わりに、炭酸ガスを供給する配管にフィルタを設け、炭酸ガスの流量を制御することが報告されている。このフィルタは、配管を流れる炭酸ガスの流れを規制する障害（抵抗）として機能するため、フィルタの数や径を選択することによって炭酸ガスの流量を調整することができるものである。具体的には、炭酸ガスの流路（配管）を複数に分岐させ、各分岐した流路に、それぞれ流量抵抗の異なるフィルタを設置し、これらのフィルタの上流または下流に、流路を遮断可能なバルブを設け、各バルブの開閉により炭酸ガスの流量を調整する稀釈薬液流体（機能性超純水）の製造装置が報告されている（特許文献１）。
【０００５】
【特許文献１】特開２００４−２５０７８号公報
【発明の開示】
【発明が解決しようとする課題】
【０００６】
特許文献１の製造装置は、炭酸ガスの流量を高精度で調整すること、即ち、比抵抗値１〜５ＭΩ・ｃｍの範囲の洗浄水を製造することが可能である。そのため、半導体製造工程の後工程（例えば、ダイシング工程など）で使用する洗浄水を製造するための装置として好適に用いられるものである。しかしながら、特許文献１の製造装置は、炭酸ガスの流量を高精度で調整するものであるため、その制御機構が複雑であり、この制御機構を設置するためのスペースを必要とするものであった。
【０００７】
ここで、半導体製造工程のシリコンウエハの基板上に集積回路を形成する工程（以下、「前工程」と記す場合がある）で使用する洗浄水（例えば、ウェハに配線を施した後にウェハを洗浄するための水）は、上記後工程で使用される洗浄水のような比抵抗値の範囲を満たすものである必要はなく、例えば、比抵抗値が０．２±０．１ＭΩ・ｃｍ以下の範囲であり、その変動幅も比較的広く（±５０％以内）設定されているものである。そのため、特許文献１の製造装置によって、半導体製造工程の前工程で使用する洗浄水を製造する場合、製造される洗浄水が、オーバースペックになるおそれがあった。また、半導体製造工程の前工程では上記洗浄水を製造する装置を洗浄装置に組み込むことが切望されているが、特許文献１の製造装置は複雑な制御機構を有するため大きなスペースが必要であり、洗浄装置に組み込むことが困難であった。
【０００８】
そこで、半導体製造工程の前工程で好適に使用するための装置であって、簡便な制御機構によって炭酸ガスの流量を制御（調整）することができ、設置に必要なスペースが小さく、その製造コストが低廉である洗浄水の製造装置（比抵抗制御装置）の開発が切望させている。
【０００９】
本発明は、このような従来技術の有する問題点に鑑みてなされたものであり、その課題とするところは、半導体製造工程の前工程で好適に使用されるものであり、簡便な制御機構によって炭酸ガスの流量を制御（調整）することができ、設置に必要なスペースが小さく、その製造コストが低廉である比抵抗制御装置を提供することにある。
【課題を解決するための手段】
【００１０】
本発明者らは上記課題を達成すべく鋭意検討した結果、半導体製造工程の前工程で使用する洗浄水であれば、高い精度で炭酸ガスの流量を調整する必要性は低いため、より簡便な構成の装置とすることが可能であることに着眼し、分岐路及び開閉弁の数を少なくしたことに加え、二つの分岐路を一つの開閉弁で開閉することによって、上記課題を達成することが可能であることを見出し、本発明を完成するに至った。
【００１１】
即ち、本発明によれば、以下に示す比抵抗制御装置が提供される。
【００１２】
［１］  薬液流体を供給する薬液流体供給手段と、超純水を供給する超純水供給手段と、前記薬液流体及び前記超純水を混合させて調合し、その比抵抗値が前記超純水に比して低く制御された処理水として排出する処理水調合手段とを備える比抵抗制御装置であって、前記薬液流体供給手段が、前記薬液流体を貯留する薬液貯留手段と、前記薬液貯留手段に接続した導入路、並びに前記導入路から分岐した第一の分岐路及び第二の分岐路からなる送液路と、前記第一の分岐路及び第二の分岐路に配置され、前記処理水調合手段に流入する前記薬液流体の流量を制限するフィルタと、前記処理水調合手段から排出される前記処理水の比抵抗値に対応して、前記第一の分岐路、または前記第一の分岐路及び前記第二の分岐路を開閉する一つの開閉弁と、を備える比抵抗制御装置。
【００１３】
［２］  半導体製造工程の、シリコンウエハの基板上に集積回路を形成する工程で使用される前記処理水を製造する前記［１］に記載の比抵抗制御装置。
【００１４】
［３］  比抵抗値が０．２ＭΩ・ｃｍ以下である前記処理水を得るためのものである前記［１］または［２］に記載の比抵抗制御装置。
【００１５】
［４］  前記開閉弁が、前記第一の分岐路を開いたとき前記第二の分岐路を閉じ、前記第一の分岐路を閉じたとき前記第二の分岐路が開くように開閉する三方弁である前記［１］〜［３］のいずれかに記載の比抵抗制御装置。
【００１６】
［５］  前記開閉弁が、前記第一の分岐路に配置され、前記第一の分岐路を開閉するものである前記［１］〜［３］のいずれかに記載の比抵抗制御装置。
【００１７】
［６］  前記薬液流体が、炭酸ガス、またはアンモニアガスである前記［１］〜［５］のいずれかに記載の比抵抗制御装置。
【００１８】
［７］  前記処理水調合手段が、中空糸膜を備え、前記中空糸膜の外周面から前記中空糸膜を透過して前記中空糸膜内に流入した前記薬液流体を、前記中空糸膜の一方の開口から前記中空糸膜内に流入した前記超純水によって、高稀釈倍率で、前記中空糸膜内で混合させて調合し、その比抵抗値が前記超純水に比して低く制御された処理水として排出するものである前記［１］〜［６］のいずれかに記載の比抵抗制御装置。
【００１９】
［８］  前記処理水調合手段が、中空糸膜を備え、前記中空糸膜の内周面から前記中空糸膜を透過して前記中空糸膜外に流出した前記薬液流体を、前記中空糸膜の外側を流れる前記超純水によって、高稀釈倍率で混合させて調合し、その比抵抗値が前記超純水に比して低く制御された処理水として送液するものである前記［１］〜［６］のいずれかに記載の比抵抗制御装置。
【発明の効果】
【００２０】
本発明の比抵抗制御装置は、半導体製造工程の前工程で好適に使用されるものであって、簡便な制御機構によって炭酸ガスの流量を制御（調整）することができ、設置に必要なスペースが小さく、その製造コストが低廉であるという効果を奏するものである。
【発明を実施するための最良の形態】
【００２１】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２２】
［１］比抵抗制御装置：
図１は、本発明の比抵抗制御装置の一実施形態を示す概念図である。図１に示すように、本実施形態の比抵抗制御装置１００は、薬液流体を供給する薬液流体供給手段１０と、超純水を供給する超純水供給手段２０と、薬液流体及び超純水を混合させて調合し、その比抵抗値が超純水に比して低く制御された処理水として排出する処理水調合手段３０と備えている。以下、図面を参照しつつその詳細について説明する。
【００２３】
［１−１］薬液流体供給手段：
本発明の比抵抗制御装置の薬液流体供給手段は、薬液流体を供給するものであって、薬液流体を貯留する薬液貯留手段と、薬液貯留手段に接続した導入路、並びに導入路から分岐した第一の分岐路及び第二の分岐路からなる送液路と、第一の分岐路及び第二の分岐路に配置され、処理水調合手段に流入する薬液流体の流量を制限するフィルタと、処理水調合手段から排出される処理水の比抵抗値に対応して、第一の分岐路、または第一の分岐路及び第二の分岐路を開閉する一つの開閉弁と、を備えるものである。
【００２４】
このように、本発明の比抵抗制御装置の薬液流体供給手段は、特許文献１の製造装置のように、多数（例えば、四つ）の分岐路を備えることなく、少数（二つ）の分岐路を備えるものであるため、装置を小さくすることが可能であるという利点がある。また、特許文献１の製造装置は、多数の分岐路にそれぞれ開閉弁を配置する構造であるため、装置が大型化し、その制御も複雑である。しかし、本発明の比抵抗制御装置は、一つの開閉弁によって二つの分岐路を制御するため、装置がコンパクトになるとともに、一つの開閉弁を制御すれば良いので制御が容易であるという利点がある。
【００２５】
具体的には、図１に示す比抵抗制御装置１００の薬液流体供給手段１０は、薬液流体を貯留する薬液貯留手段１１と、薬液貯留手段１１に接続した導入路４１、導入路４１から分岐した同一径の第一の分岐路４２及び第二の分岐路４３、並びに第一の分岐路４２及び第二の分岐路４３が合流する合流路４４からなる送液路４０と、第一の分岐路４２に配置され、処理水調合手段３０に流入する薬液流体の流量を制限する一つのフィルタ５１と、第二の分岐路４３に配置され、処理水調合手段３０に流入する薬液流体の流量を制限する二つのフィルタ５１と、処理水調合手段３０から排出される処理水の比抵抗値に対応して、第一の分岐路４２を開閉する一つの開閉弁５２と、導入路４１に配置されたレギュレータ５３と、導入路４１に配置され、レギュレータ５３の下流に位置するバルブ５４とを備えている。
【００２６】
上記フィルタは、処理水調合手段に流入する薬液流体の流量を制限するものである。ここで、「薬液流体の流量を制限する」とは、フィルタを通過した薬液流体の流量が所定の流量に調整されるように制限することを意味する。別言すると、薬液貯留手段から供給される薬液流体の流れに対して抵抗を与えて、薬液流体を流れ難くすることを意味する。
【００２７】
上記フィルタは、上述した条件を満たすものである限りその材質、孔径、厚さなどに特に制限はないが、材質としては、例えば、高分子膜（例えば、ポリプロピレン製、ＰＴＦＥ製）、セラミック膜、金属膜などを好適に用いることができる。これらの中でも、疎水性、低溶出性が良好であるという観点から、膜材質として高分子膜が好ましく、特に、ポリプロピレン製、ＰＴＦＥ製が好ましい。また、フィルタが多孔質体からなる場合には、フィルタの孔径としては、例えば、０．０１〜１０μｍであることが好ましく、０．０５〜５μｍであることが更に好ましく、０．１〜１μｍであることが特に好ましい。フィルタの孔径が０．０１μｍ未満であると、ガス（薬液流体）が流れないおそれがある。一方、１０μｍ超であると、ガス（薬液流体）が流れ過ぎるおそれがある。
【００２８】
フィルタの厚さは、例えば、１０〜２００μｍであることが好ましく、３０〜１００μｍであることが更に好ましく、５０〜８０μｍであることが特に好ましい。フィルタの厚みが１０μｍ未満であると、ガス（薬液流体）が流れ過ぎるおそれがある。一方、２００μｍ超であると、ガス（薬液流体）が流れないおそれがある。
【００２９】
フィルタとしては、例えば、中空糸膜、平膜、チューブ膜、ハニカム構造膜、モノリス膜（マルチルーメン膜）などを挙げることができる。これらの中でも、膜面積を広く取れる点から、中空糸膜が好ましい。
【００３０】
なお、第一の分岐路及び第二の分岐路から排出される薬液流体の流量は、同じであっても、それぞれ異なっても良いが、２種類の流量を作り出す点から（特に、開閉弁として後述する三方弁を使用する場合には）、それぞれ異なることが好ましい。ここで、薬液流体の流量の調整は、例えば、材質、孔径、厚さなどが同じフィルタを使用し、図１に示す比抵抗制御装置１００のように、その配置する数を異ならせることによって行うことができる。また、薬液流体の流量の別の調整方法としては、材質、孔径、厚さなどが同じフィルタを同じ数だけ使用し、フィルタの使用面積（薬液流体が透過可能な面積）を異ならせること、即ち、異なる内径を有する第一の分岐路及び第二の分岐路を用いることも挙げられる。なお、上記調整方法を組み合わせて行うこともできる。
【００３１】
開閉弁は、処理水調合手段から排出される処理水の比抵抗値に対応して、第一の分岐路、または第一の分岐路及び第二の分岐路を開閉するものである限り特にその種類に制限はない。例えば、電磁弁、エアー駆動式自動弁などを挙げることができる。ここで、本明細書において「処理水調合手段から排出される処理水の比抵抗値に対応」とは、処理水調合手段から排出される処理水の比抵抗値を測定し、その測定値が所定の値よりも大きい場合には、比抵抗値を小さくし、測定値が所定の値よりも小さい場合には、比抵抗値を大きくすることを意味する。例えば、図１に示す比抵抗制御装置１００の開閉弁５２は、処理水調合手段３０に接続された比抵抗計５５によって測定される比抵抗値が所定の値よりも大きい場合、その信号を受けたときには弁を閉じ、比抵抗値が所定の値よりも小さい場合、その信号を受けたときには弁を開けるものである。
【００３２】
図１に示す比抵抗制御装置１００のバルブ５４は、上記開閉弁５２と同様のものを用いることができる。また、手動で開閉可能な手動バルブであってもよい。なお、薬液貯留手段１１は、例えば、炭酸ガスなどの加圧ガスを圧入したキャニスター缶などを挙げることができる。
【００３３】
なお、薬液流体として、例えば、炭酸ガス、アンモニアガスなどを挙げることができる。これらの中でも、帯電防止の観点から、炭酸ガスが好ましく、更に、ウェハ上の微粒子の再付着防止などの洗浄性が良好であるという観点からはアンモニアガス、アンモニア水が好ましい。
【００３４】
［１−２］超純水供給手段：
本発明の比抵抗制御装置の超純水供給手段は、超純水を供給することが可能なものである限り特に制限はないが、例えば、貯水タンクと、この貯水タンクに接続された送液ポンプとを備えたものなどを挙げることができる。図１に示す比抵抗制御装置１００の超純水供給手段２０は、超純水を貯留する貯水タンク２１と、この貯水タンク２１に接続された送液ポンプ（図示せず）とを備えたものである。なお、貯水タンク２１内を加圧して超純水を送液する場合には、送液ポンプを用いなくてもよい。
【００３５】
超純水供給手段から供給される超純水は、その比抵抗値などについて特に制限されるものではないが、例えば、比抵抗値が１６ＭΩ・ｃｍ以上のものを好適に用いることができる。
【００３６】
［１−３］処理水調合手段：
本発明の比抵抗制御装置の処理水調合手段は、薬液流体及び超純水を混合させて調合し、その比抵抗値が前記超純水に比して低く制御された処理水として排出するものである限り特に制限はないが、膜面積が広く取れる点から、中空糸膜を備えるものであることが好ましい。
【００３７】
例えば、本実施形態の比抵抗制御装置１００の処理水調合手段３０は、図１０に示すような、多孔質樹脂からなるキャピラリー状の隔壁を有し、その隔壁によって中心部を貫通するセルが形成された構造を有する中空糸を濾材とし、この中空糸を多数本集合させて全体として円柱状に形成された中空糸膜３１と、この中空糸膜３１を収納し、薬液流体が流入する薬液流入口（図示せず）、超純水が流入する超純水流入口３２ａ、処理水を排出する処理水排出口３２ｂが形成された中空糸膜収納本体３２とを備えるものである。
【００３８】
この処理水調合手段３０は、中空糸膜３１の内周面から中空糸膜３１を透過して中空糸膜３１外に流出した薬液流体を、中空糸膜３１の外側を流れる超純水によって、高稀釈倍率で混合させて調合し、その比抵抗値が前記超純水に比して低く制御された処理水として送液する。
【００３９】
なお、上記処理水調合手段は、薬液流体を内側から外側へ透過させるものであるが、外側から内側へ透過させるものであってもよい。即ち、中空糸膜の外周面から中空糸膜を透過して中空糸膜内に流入した薬液流体を、中空糸膜の一方の開口から中空糸膜内に流入した超純水によって、高稀釈倍率で、中空糸膜内で混合させて調合し、その比抵抗値が前記超純水に比して低く制御された処理水として排出するものであってもよい。なお、薬液流体を外側から内側へ透過させるか、または内側から外側へ透過させるかは、超純水の線速の制限によって決定することが好ましい。
【００４０】
上記中空糸膜としては、例えば、膜面積が０．５×１０−３〜２．５×１０−３ｍ２で、単位膜面積当たりの透水量が２５〜１００リットル／ｍ２ｈの、ポリアクリロニトリル、ポリフッ化ビニリデン（ＰＶＤＦ）、ポリプロピレン、ポリテトラフルオロエチレン（ＰＴＦＥ）またはポリスルフォンからなるものを挙げることができる。この場合、中空糸の本数、または長さにより膜面積を制御することが好ましい。
【００４１】
［１−４］乾燥空気供給手段：
本発明の比抵抗制御装置は、更に、乾燥空気供給手段を備えることができる。この乾燥空気供給手段は、薬液流体の代わりに乾燥空気を処理水調合手段に供給するものであり、処理水の製造前、及び製造停止時に、超純水が薬液流体供給手段に逆流してしまうことを防止するものである。
【００４２】
例えば、図１に示す比抵抗制御装置１００は、乾燥空気貯留タンク６１と、この乾燥空気貯留タンク６１に接続したレギュレータ６２と、このレギュレータ６２に接続したバルブ６３とを備え、合流路４４に接続した乾燥空気供給手段６０を有しているものである。乾燥空気供給手段６０は、比抵抗制御装置１００が停止したとき、洗浄機から信号を受けて薬液流体（例えば、炭酸ガス）の供給が停止した後、または停止したと同時にバルブ６３を開放し、乾燥空気を処理水調合手段３０に供給する。バルブ６３を開放して乾燥空気を処理水調合手段３０に供給すると、超純水の蒸気が、比抵抗制御装置１００の停止中に中空糸膜を逆流して薬液流体供給手段側に透過してしまうことを防ぐことができる。
【００４３】
乾燥空気とは、上記効果を発揮する気体を意味し、その種類などに特に制限はないが、例えば、窒素ガス、アルゴンガス、ヘリウムガスなどを挙げることができる。
【００４４】
なお、本発明の比抵抗制御装置は、半導体製造工程の前工程で使用されることが好ましく、比抵抗値が０．２ＭΩ・ｃｍ以下である処理水を得るためのもとして好適に用いることができる。特に、比抵抗値が、０．１または０．２ＭΩ・ｃｍの処理水（洗浄水）を選択的に製造することができるものとして好適に用いることができる。
【００４５】
［２］処理水の製造：
まず、処理水（稀釈薬液流体）を製造する前は、図２に示すように、乾燥空気供給手段６０から処理水調合手段３０に乾燥空気を供給する。このとき、処理水調合手段３０に対して超純水を供給してもよいし、供給しなくてもよい。
【００４６】
次に、乾燥空気供給手段６０のバルブ６３を閉じ、図３、図４に示すように、薬液流体供給手段１０から処理水調合手段３０に薬液流体を供給する。図３は、開閉弁５２が、処理水調合手段３０に接続された比抵抗計５５により測定される比抵抗値が所定の値よりも小さいとの信号を受けている場合であり、開閉弁５２は開放している。即ち、薬液流体は、第一の分岐路４２及び第二の分岐路４３を流れ、第一の分岐路４２及び第二の分岐路４３に配置された、それぞれのフィルタ５１によって所定の流量に調整された後、処理水調合手段３０に供給されている。
【００４７】
図４は、開閉弁５２が、処理水調合手段３０に接続された比抵抗計５５により測定される比抵抗値が所定の値よりも大きいとの信号を受けている場合であり、開閉弁５２は閉じられている。即ち、薬液流体は、第二の分岐路４３を流れ、第二の分岐路４３に配置された二つのフィルタ５１によって所定の流量に調整された後、処理水調合手段３０に供給されている。
【００４８】
このようにして供給される薬液流体を、処理水調合手段３０によって、超純水供給手段２０から供給される超純水と混合させて調合し、薬液流体よりも超低濃度の処理水（稀釈薬液流体）とする。排出される処理水は、半導体製造工程の前工程で、例えば、ウェハを洗浄するため洗浄水として好適に使用される。なお、処理水は、比抵抗値を０．２ＭΩ・ｃｍ以下に調整されることが好ましい。
【００４９】
［３］比抵抗制御装置：
図５は、本発明の比抵抗制御装置の別の実施形態を示す概念図である。図５に示す比抵抗制御装置１１０は、図１に示す比抵抗制御装置１００の薬液流体供給手段１０の開閉弁５２に代えて、開閉弁（第二の三方弁）１５２を用いたことに特徴がある。
【００５０】
本実施形態の比抵抗制御装置１１０は、処理水を製造する前は、図６に示すように、開閉弁（第一の三方弁）１５４を介して、乾燥空気供給手段６０から処理水調合手段３０に乾燥空気を供給する。次に、第一の三方弁１５４を切り替え、図７、図８に示すように、薬液流体供給手段１０から処理水調合手段３０に薬液流体を供給する。図７は、第二の三方弁１５２が、処理水調合手段３０に接続された比抵抗計５５により測定される比抵抗値が所定の値よりも小さいとの信号を受けている場合である。即ち、薬液流体は、第一の分岐路４２を流れ、第一の分岐路４２に配置された、一つのフィルタ５１によって所定の流量に調整された後、処理水調合手段３０に供給されている。
【００５１】
図８は、第二の三方弁１５２が、処理水調合手段３０に接続された比抵抗計５５により測定される比抵抗値が所定の値よりも大きいとの信号を受けている場合である。即ち、第二の三方弁１５２は、薬液流体が、第二の分岐路４３を流れるように切り替えられている。そのため、薬液流体は、第二の分岐路４３に配置された二つのフィルタ５１によって所定の流量に調整された後、処理水調合手段３０に供給される。
【００５２】
このようにして、供給される薬液流体を、処理水調合手段３０によって、超純水供給手段２０から供給される超純水と混合させて調合し、薬液流体よりも超低濃度の処理水（稀釈薬液流体）とする。
【実施例】
【００５３】
以下、本発明を実施例に基づいて具体的に説明するが、本発明はこれらの実施例に限定されるものではない。
【００５４】
（実施例１）
まず、図１に示す比抵抗制御装置１００を用意した。この比抵抗制御装置１００の第一の分岐路４２には、炭酸ガス（薬液流体）の流量が６０ＮｍＬ／ｍｉｎとなるようにフィルタ５１を一つ配置した。また、第二の分岐路４３には、炭酸ガス（薬液流体）の流量が３０ＮｍＬ／ｍｉｎとなるようにフィルタ５１を二つ配置した。なお、フィルタ５１は、材質がポリテトラフルオロエチレン、孔径が０．５μｍ、厚さが６０μｍのものを用いた。次に、比抵抗制御装置１００において、処理水（稀釈薬液流体）の比抵抗値が０．２ＭΩ・ｃｍとなるように薬液流体供給手段１０のレギュレータ５３を調節した。具体的には、処理水（稀釈薬液流体）の比抵抗値を０．２ＭΩ・ｃｍとするには、超純水（稀釈流体）の流量が１０Ｌ／ｍｉｎの場合に、炭酸ガスの流量は約９０ＮｍＬ／ｍｉｎであるため、電磁弁（開閉弁）５２を開放状態にして、超純水（稀釈流体）の流量を１０Ｌ／ｍｉｎに調整した。
【００５５】
超純水の流量は、後段に配置される洗浄機の運転モードによってランダムに変化してしまう。そのため、超純水の流量が１０Ｌ／ｍｉｎよりも少なくなった場合、炭酸ガスの流量が９０ＮｍＬ／ｍｉｎのままであると、超純水中の炭酸ガス濃度が上昇し、処理水の比抵抗値が低下してしまう。
【００５６】
そこで、例えば、超純水の流量が少なくなり、比抵抗値が０．１５ＭΩ・ｃｍに低下した場合に第一の分岐路４２に設置した電磁弁（開閉弁）５２をＯＦＦとする（閉じる）。電磁弁（開閉弁）５２をＯＦＦとすると、炭酸ガスは第二の分岐路４３にのみ流れる。この第二の分岐路４３には、フィルタ５１を、第一の分岐路４２よりも一つ多く設置しているため、炭酸ガスの流量は第一の分岐路４２よりも少なっている（３０ＮｍＬ／ｍｉｎ）。なお、電磁弁（開閉弁）５２をＯＦＦとする制御を行わなければ、炭酸ガスの流量が９０ＮｍＬ／ｍｉｎのままであるが、電磁弁を制御することによって３０ＮｍＬ／ｍｉｎに減少させることができる。
【００５７】
図９は、超純水流量と比抵抗との関係を示すグラフである。即ち、一つの電磁弁を設置し、この電磁弁にて制御を行った場合における超純水流量と比抵抗との関係を示すグラフである。
【００５８】
具体的には、比抵抗１８ＭΩ・ｃｍの超純水を使用した。超純水の温度は、２３℃、水圧は０．１５ＭＰａとした。また、超純水の流量が１０Ｌ／ｍｉｎのとき、比抵抗値が０．２ＭΩ・ｃｍになるようにフィルタ５１、薬液流体供給手段１０のレギュレータ５３を調整した。なお、炭酸ガスの圧力は０．０５ＭＰａであった。
【００５９】
その後、比抵抗制御装置１００の後段で、バルブを調整し、超純水の流量を１０Ｌ／ｍｉｎから徐々に低下させて１Ｌ／ｍｉｎとした。このような条件において、本実施例では電磁弁による制御を行うため、処理水（稀釈薬液流体）の比抵抗値が０．１５ＭΩ・ｃｍ以下になったとき、電磁弁（開閉弁）５２を閉じる。電磁弁（開閉弁）５２を閉じると、炭酸ガスの流量を減らすことができる。そのため、超純水の流量が低下した場合にも、処理水（稀釈薬液流体）の比抵抗値を０．１ＭΩ・ｃｍ以上に保つことができた。なお、通常、処理水（稀釈薬液流体）の比抵抗値を０．２ＭΩ・ｃｍに設定した場合、その変動が許容される幅（変動幅）は±０．１ＭΩ・ｃｍである。
【００６０】
なお、炭酸ガスの消費量を考慮した場合、電磁弁による制御を行わない場合と比較して、その消費量を少なくすることができる。
【００６１】
（実施例２）
電磁弁（開閉弁）５２に代えて、三方弁１５２を備えた、図２に示す比抵抗制御装置１１０を使用した。比抵抗計５５により測定される比抵抗値が所定の範囲内である場合には、図７に示すように、三方弁１５２は、電源がＯＦＦの状態であり、第一の分岐路４２に炭酸ガスが流れる。その後、超純水の流量が低下し、処理水（稀釈薬液流体）の比抵抗値が低下して設定値以下になった場合、三方弁１５２は、比抵抗計５５から信号を受け、電源が入り、第二の分岐路４３に炭酸ガスが流れる。このように超純水の流量の変動に応じ、炭酸ガスの供給量（流量）を２段階で制御することができる。
【００６２】
なお、比抵抗制御装置を使用しないとき、即ち、比抵抗制御装置に電源が入っていないときは、図６に示すように、乾燥空気供給手段６０から処理水調合手段３０の中空糸膜３１に乾燥空気が供給され、超純水由来の水蒸気が中空糸膜３１を透過を防止し、上記水蒸気の凝縮水の払い出しを行う。また、本実施例において、電磁弁を設けることなく、電磁弁による制御を行わない場合と、一つの電磁弁を設置し、この電磁弁にて制御を行った場合における超純水流量と比抵抗との関係は、実施例１における図９に示す結果と同様であった。
【００６３】
（比較例１）
図９は、超純水流量と比抵抗との関係を示すグラフである。即ち、電磁弁を設けることなく、電磁弁による制御を行わない場合における超純水流量と比抵抗との関係を示すグラフである。
【００６４】
具体的には、比抵抗１８ＭΩ・ｃｍの超純水をとして使用した。超純水の温度は、２３℃、水圧は０．１５ＭＰａとした。また、超純水の流量が１０Ｌ／ｍｉｎのとき、比抵抗値が０．２ＭΩ・ｃｍになるようにフィルタ５１、薬液流体供給手段１０のレギュレータ５３を調整した。なお、炭酸ガスの圧力は０．０５ＭＰａであった。
【００６５】
その後、比抵抗制御装置１００の後段で、バルブを調整し、超純水の流量を１０Ｌ／ｍｉｎから徐々に低下させて１Ｌ／ｍｉｎとした。このような条件において、本比較例では電磁弁による制御を行わないため、１Ｌ／ｍｉｎになったとしても炭酸ガスの流量は変化しない。そのため、処理水（稀釈薬液流体）の比抵抗値は、許容の下限値である０．１ＭΩ・ｃｍを下回ってしまった。なお、通常、処理水（稀釈薬液流体）の比抵抗値を０．２ＭΩ・ｃｍに設定した場合、その変動が許容される幅（変動幅）は±０．１ＭΩ・ｃｍである。
【産業上の利用可能性】
【００６６】
本発明の比抵抗制御装置は、半導体製造工程のいわゆる前工程で使用される洗浄水を好適に製造することができるものである。
【図面の簡単な説明】
【００６７】
【図１】本発明の比抵抗制御装置の一実施形態を示す概念図である。
【図２】本発明の比抵抗制御装置の一実施形態における作動状態の一部を示す概念図である。
【図３】本発明の比抵抗制御装置の一実施形態における作動状態の一部を示す概念図である。
【図４】本発明の比抵抗制御装置の一実施形態における作動状態の一部を示す概念図である。
【図５】本発明の比抵抗制御装置の別の実施形態を示す概念図である。
【図６】本発明の比抵抗制御装置の別の実施形態における作動状態の一部を示す概念図である。
【図７】本発明の比抵抗制御装置の別の実施形態における作動状態の一部を示す概念図である。
【図８】本発明の比抵抗制御装置の別の実施形態における作動状態の一部を示す概念図である。
【図９】超純水流量と比抵抗との関係を示すグラフである。
【図１０】図１に示す処理水調合手段の一実施形態の一部を示す概念図である。
【符号の説明】
【００６８】
１０：薬液流体供給手段、１１：薬液貯留手段、２０：超純水供給手段、２１：貯水タンク、３０：処理水調合手段、３１：中空糸膜、３２ａ：稀釈流入口、３２ｂ：稀釈薬液排出口、３２：中空糸膜収納本体、４１：導入路、４２：第一の分岐路、４３：第二の分岐路、４４：合流路、５１：フィルタ、５２：開閉弁、５３：レギュレータ、５４：バルブ、５５：比抵抗計、６０：乾燥空気供給手段、６１：乾燥空気貯留タンク、６２：レギュレータ６２、６３：バルブ、１５２：開閉弁（第二の三方弁）、１５４：開閉弁（第一の三方弁）、１００，１１０：比抵抗制御装置。
【図１】
2008211096.tif 000003
【図２】
2008211096.tif 000004
【図３】
2008211096.tif 000005
【図４】
2008211096.tif 000006
【図５】
2008211096.tif 000007
【図６】
2008211096.tif 000008
【図７】
2008211096.tif 000009
【図８】
2008211096.tif 000010
【図１０】
2008211096.tif 000011
【図９】
2008211096.tif 000012